(57)【要約】【課題】コンテンツの視聴に関するユーザの利便性の向上を図ることが可能な、情報処理装置、および情報処理方法を提供する。【解決手段】画像を含むコンテンツを示すコンテンツ信号が示す入力画像と、コンテンツ信号が設定に基づき処理された信号が示す処理画像とを記録させる記録制御部を備える、情報処理装置が提供される。【選択図】図７
2013150039.tif 000002
【特許請求の範囲】
【請求項１】
画像を含むコンテンツを示すコンテンツ信号が示す入力画像と、前記コンテンツ信号が設定に基づき処理された信号が示す処理画像とを記録させる記録制御部を備える、情報処理装置。
【請求項２】
前記記録制御部は、前記入力画像と前記処理画像とを記録させる場合には、前記コンテンツ信号が示すコンテンツごとに、記録させた前記入力画像と前記処理画像とのそれぞれが二次元画像であるかまたは三次元画像であるかを示す画像情報を記録する、請求項１に記載の情報処理装置。
【請求項３】
前記画像情報には、前記入力画像、前記処理画像それぞれの用途を示す情報が含まれる、請求項２に記載の情報処理装置。
【請求項４】
前記記録制御部は、設定が複数ある場合には、複数の設定それぞれに対応する、複数の処理画像を記録させる、請求項１に記載の情報処理装置。
【請求項５】
前記コンテンツ信号を処理し、前記処理画像を生成する処理部をさらに備え、
前記記録制御部は、設定に対応する処理を行わせるための処理制御命令を、前記処理部に伝達し、
前記処理部は、前記記録制御部から伝達される前記処理制御命令に基づいて、前記設定に対応する処理を行う、請求項１に記載の情報処理装置。
【請求項６】
前記記録制御部は、生成された処理画像を記録させる処理画像記録命令を、前記処理部に伝達し、
前記処理部は、前記処理画像記録命令に基づいて、生成された処理画像を記録する、請求項５に記載の情報処理装置。
【請求項７】
前記コンテンツ信号を受信する受信部をさらに備え、
前記記録制御部は、前記入力画像を記録させるための入力画像記録命令を、前記受信部に伝達し、
前記受信部は、前記入力画像記録命令に基づいて、前記入力画像を記録する、請求項１に記載の情報処理装置。
【請求項８】
コンテンツに関する情報を示すタイトル情報を取得するタイトル情報取得部と、
取得された前記タイトル情報が示す再生対象のコンテンツに対応する前記画像情報を取得する画像情報取得部と、
取得された前記画像情報に基づいて、再生対象のコンテンツを示す画像データを再生させるための再生リストを生成する再生リスト生成部と、
をさらに備える、請求項２に記載の情報処理装置。
【請求項９】
生成された再生リストに基づいて、再生対象の画像データを再生させる再生制御部をさらに備える、請求項８に記載の情報処理装置。
【請求項１０】
コンテンツに関する情報を示すタイトル情報を取得するタイトル情報取得部と、
取得された前記タイトル情報が示す再生対象のコンテンツに対応する、画像データが二次元画像であるかまたは三次元画像であるかを示す画像情報を取得する画像情報取得部と、
取得された前記画像情報に基づいて、再生対象のコンテンツを示す画像データを再生させるための再生リストを生成する再生リスト生成部と、
を備える、情報処理装置。
【請求項１１】
生成された再生リストに基づいて、再生対象の画像データを再生させる再生制御部をさらに備える、請求項１０に記載の情報処理装置。
【請求項１２】
画像を含むコンテンツを示すコンテンツ信号が示す入力画像を記録させるステップと、
前記コンテンツ信号を設定に基づき処理させ、前記設定に基づき処理された信号が示す処理画像を記録させるステップと、
を有する、情報処理方法。
【請求項１３】
コンテンツに関する情報を示すタイトル情報を取得するステップと、
取得された前記タイトル情報が示す再生対象のコンテンツに対応する、画像データが二次元画像であるかまたは三次元画像であるかを示す画像情報を取得するステップと、
取得された前記画像情報に基づいて、再生対象のコンテンツを示す画像データを再生させるための再生リストを生成するステップと、
を有する、情報処理装置。
【発明の詳細な説明】
【技術分野】
【０００１】
本開示は、情報処理装置、および情報処理方法に関する。
【背景技術】
【０００２】
近年、立体テレビ放送において送信されるコンテンツや立体映画などのような、三次元（以下、「３Ｄ」と示す場合がある。）画像を含むコンテンツを表示可能な装置の普及が進んでいる。ここで、上記のようなコンテンツを示す画像データは、３Ｄ画像のみからなる画像を示す画像データに限られず、例えば、二次元（以下、「２Ｄ」と示す場合がある。）画像と３Ｄ画像とが混在する画像を示す画像データである場合もある。
【０００３】
このような中、３Ｄ画像を含む画像を処理する技術が開発されている。入力データを画像データと制御用データとに分離し、制御用データに基づいて、２Ｄ画像のみからなる画像データと３Ｄ画像のみからなる画像データとを生成する技術としては、例えば特許文献１に記載の技術が挙げられる。
【先行技術文献】
【特許文献】
【０００４】
【特許文献１】特開２００５−０９４１４５号公報
【発明の概要】
【発明が解決しようとする課題】
【０００５】
例えば特許文献１に記載の技術は、処理対象の入力データから制御用データを分離し、当該制御用データに基づいて２Ｄ画像のみからなる画像データと３Ｄ画像のみからなる画像データとを生成する。しかしながら、例えば特許文献１に記載の技術が用いられる場合には、２Ｄ画像のみからなる画像データと３Ｄ画像のみからなる画像データ、すなわち、処理対象の入力データを処理した処理後の画像データしか生成されない。よって、例えば特許文献１に記載の技術を用いる場合には、例えば、処理対象の入力データが示すコンテンツ、すなわち、コンテンツの提供者側から提供されるコンテンツそのものを楽しみたいというユーザのニーズに対応することはできない。
【０００６】
本開示では、コンテンツの視聴に関するユーザの利便性の向上を図ることが可能な、新規かつ改良された情報処理装置、および情報処理方法を提案する。
【課題を解決するための手段】
【０００７】
本開示によれば、画像を含むコンテンツを示すコンテンツ信号が示す入力画像と、上記コンテンツ信号が設定に基づき処理された信号が示す処理画像とを記録させる記録制御部を備える、情報処理装置が提供される。
【０００８】
また、本開示によれば、コンテンツに関する情報を示すタイトル情報を取得するタイトル情報取得部と、取得された上記タイトル情報が示す再生対象のコンテンツに対応する、画像データが二次元画像であるかまたは三次元画像であるかを示す画像情報を取得する画像情報取得部と、取得された上記画像情報に基づいて、再生対象のコンテンツを示す画像データを再生させるための再生リストを生成する再生リスト生成部と、を備える、情報処理装置が提供される。
【０００９】
また、本開示によれば、画像を含むコンテンツを示すコンテンツ信号が示す入力画像を記録させるステップと、上記コンテンツ信号を設定に基づき処理させ、上記設定に基づき処理された信号が示す処理画像を記録させるステップと、を有する、情報処理方法が提供される。
【００１０】
また、本開示によれば、コンテンツに関する情報を示すタイトル情報を取得するステップと、取得された上記タイトル情報が示す再生対象のコンテンツに対応する、画像データが二次元画像であるかまたは三次元画像であるかを示す画像情報を取得するステップと、取得された上記画像情報に基づいて、再生対象のコンテンツを示す画像データを再生させるための再生リストを生成するステップと、を有する、情報処理装置が提供される。
【発明の効果】
【００１１】
本開示によれば、コンテンツの視聴に関するユーザの利便性の向上を図ることができる。
【図面の簡単な説明】
【００１２】
【図１】本実施形態に係る情報処理方法に係る処理の概要を説明するための説明図である。
【図２】本実施形態に係る設定に基づく処理画像を生成する処理の一例を説明するための説明図である。
【図３】本実施形態に係る画像情報の一例を示す説明図である。
【図４】本実施形態に係る情報処理方法に係る記録制御処理の一例を示す流れ図である。
【図５】本実施形態に係る情報処理装置における、設定に基づく処理画像を記録する処理の一例を示す流れ図である。
【図６】本実施形態に係る情報処理方法に係る再生リスト生成処理の一例を示す流れ図である。
【図７】第１の実施形態に係る報処理装置の構成の一例を示すブロック図である。
【図８】第１の実施形態に係る情報処理装置のハードウェア構成の一例を示す説明図である。
【図９】第２の実施形態に係る情報処理装置の構成の一例を示すブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、以下では、下記に示す順序で説明を行う。
１．本実施形態に係る情報処理方法
２．本実施形態に係る情報処理装置
３．本実施形態に係るプログラム
【００１５】
（本実施形態に係る情報処理方法）
本実施形態に係る情報処理装置の構成について説明する前に、本実施形態に係る情報処理方法について説明する。また、以下では、本実施形態に係る情報処理装置が、本実施形態に係る情報処理方法に係る処理を行うものとして説明する。
【００１６】
上述したように、例えば特許文献１に記載の技術を用いたとしても、例えば、コンテンツの提供者側から提供されるコンテンツそのものを楽しみたいというユーザのニーズに対応することはできない。そのため、例えば特許文献１に記載の技術を用いたとしても、コンテンツの視聴に関するユーザの利便性の向上を図ることは、望むべくもない。
【００１７】
そこで、本実施形態に係る情報処理装置は、画像を含むコンテンツを示すコンテンツ信号が示す入力画像と、当該コンテンツ信号が設定に基づき処理された信号が示す処理画像とを記録させる（本実施形態に係る記録制御処理）。ここで、本実施形態に係る設定は、例えば、画像処理の内容（処理内容やパラメータなど）や、符号化処理の内容（処理内容やパラメータなど）を示すものである。本実施形態に係る設定は、予め設定されているものであってもよいし、ユーザにより設定されたものであってもよい。
【００１８】
本実施形態に係る情報処理装置が、入力画像と処理画像とを記録させることによって、ユーザは、コンテンツの提供者側から提供されるコンテンツそのもの（入力画像）と、設定に基づき処理された、当該コンテンツを示す処理画像とを、それぞれ楽しむことが可能となる。したがって、本実施形態に係る情報処理装置は、本実施形態に係る記録制御処理を行うことによって、コンテンツの視聴に関するユーザの利便性の向上を図ることができる。
【００１９】
また、本実施形態に係る情報処理装置は、本実施形態に係る記録制御処理によって記録された画像データ（入力画像を示す画像データ、および／または、処理画像を示す画像データ）を再生させるための再生リストを生成する（本実施形態に係る再生リスト生成処理）。本実施形態に係る情報処理装置が生成した再生リストにしたがって、画像データを再生する処理を行う装置が画像データを再生することによって、ユーザは、コンテンツの提供者側から提供されるコンテンツそのもの（入力画像）と、設定に基づき処理された、当該コンテンツを示す処理画像とのうちの所望の画像を、より容易に楽しむことができる。
【００２０】
したがって、本実施形態に係る情報処理装置は、本実施形態に係る再生リスト生成処理を行うことによって、コンテンツの視聴に関するユーザの利便性の向上を図ることができる。
【００２１】
ここで、本実施形態に係るコンテンツ信号としては、例えば、画像を示す信号（デジタル信号／アナログ信号）が挙げられる。本実施形態に係る情報処理装置は、アナログ信号のコンテンツ信号を処理する場合には、例えば、ＡＤＣ（Aalog  to  Digital  Converter）によってデジタル信号に変換して処理を行う。なお、本実施形態に係る情報処理装置は、アナログ信号のコンテンツ信号を処理することも可能である。以下では、本実施形態に係るコンテンツ信号がデジタル信号である場合、すなわち、本実施形態に係るコンテンツ信号が画像データを示す信号である場合を例に挙げて説明する。
【００２２】
本実施形態に係る画像データとしては、例えば、２Ｄ画像を示すデータや、３Ｄ画像を示すデータ、２Ｄ画像と３Ｄ画像とを示すデータが挙げられるが、本実施形態に係る画像データは、上記に限らない。例えば、本実施形態に係る画像データは、音声（音楽も含む）を示す音声データや、メタデータなどの様々なデータを含むデータであってもよい。なお、本実施形態に係る画像データと、上記様々なデータとが、別体のデータであってもよいことは、言うまでもない。つまり、本実施形態に係るコンテンツ信号は、画像データと、上記様々なデータとを含む信号であってもよい。
【００２３】
また、本実施形態に係る情報処理装置は、例えば、本実施形態に係る情報処理装置がテレビ塔などから送信された放送波を（直接的、またはセットトップボックスなどを介して間接的に）受信してデコードした結果得られるコンテンツ信号を処理する。なお、本実施形態に係る情報処理装置が処理するコンテンツ信号は、上記に限られない。例えば、本実施形態に係る情報処理装置は、ネットワークを介して（または直接的に）外部装置から送信されたコンテンツ信号を処理することも可能である。また、本実施形態に係る情報処理装置は、例えば、記憶部（後述する）や、本実施形態に係る情報処理装置から着脱可能な外部記録媒体に記憶されたデータをデコードすることにより得られたコンテンツ信号を処理してもよい。さらに、本実施形態に係る情報処理装置が、例えば、画像を撮像することが可能な撮像部（後述する）を備えている場合、すなわち、本実施形態に係る情報処理装置が撮像装置として機能する場合には、本実施形態に係る情報処理装置は、例えば、当該撮像部（後述する）により撮像された画像に対応するコンテンツ信号を処理してもよい。
【００２４】
以下、本実施形態に係る情報処理方法に係る、記録制御処理、再生リスト生成処理について説明する。
【００２５】
［１］本実施形態に係る情報処理方法に係る第１の処理：記録制御処理
図１は、本実施形態に係る情報処理方法に係る処理の概要を説明するための説明図である。ここで、図１は、本実施形態に係る情報処理方法に係る処理の一つである、本実施形態に係る記録制御処理を説明するための説明図に該当する。図１に示す“外部記録媒体１”としては、例えば、Ｂｌｕ−ｒａｙ（登録商標）  Ｄｉｓｃなどが挙げられる（以下、同様とする。）。また、図１に示す“外部記録媒体２”としては、例えば、ＤＶＤ（Digital  Versatile  Disc）などのように、外部記録媒体１よりも記憶容量が小さな記録媒体が挙げられる。なお、本実施形態に係る外部記録媒体１、外部記録媒体２が、上記の例に限られないことは、言うまでもない。
【００２６】
本実施形態に係る情報処理装置は、例えば図１に示すように、コンテンツ信号に対して記録制御処理を行うことによって、入力画像を示す画像データ（図１に示すＡ）と、処理画像を示す画像データ（図１に示すＢ〜Ｄ）とを、記録媒体に記録させる。ここで、図１のＢ〜Ｄに示す処理画像を示す画像データは、設定に対応する、用途に応じた画像データである。例えば図１に示すように、本実施形態に係る情報処理装置が、用途に応じた処理画像を示す画像データを記録媒体に記録させることによって、例えば、多様な記録媒体や外部装置それぞれに、より適した処理画像を示す画像データをダビングすることが可能となる。よって、本実施形態に係る情報処理装置が、用途に応じた処理画像を示す画像データを記録媒体に記録させることによって、ユーザは、様々な処理画像を楽しむことができる。
【００２７】
ここで、図１に示す記録媒体としては、例えば、本実施形態に係る情報処理装置が備える記憶部（後述する）が挙げられるが、本実施形態に係る情報処理装置が入力画像、処理画像を記録させる記録媒体は、上記に限られない。例えば、本実施形態に係る情報処理装置が入力画像、処理画像を記録させる記録媒体は、本実施形態に係る情報処理装置から着脱可能な外部記録媒体であってもよいし、ネットワークを介して（あるいは、直接的に）接続された、サーバなどの外部装置が備える記録媒体であってもよい。
【００２８】
また、図１では、本実施形態に係る情報処理装置が、複数の処理画像を記録媒体に記録させている例を示しているが、本実施形態に係る情報処理装置における記録制御処理は、上記に限られない。本実施形態に係る情報処理装置は、処理画像を生成するための処理を規定する設定に基づいて、当該設定に対応する処理画像を記録媒体に記録させる。よって、本実施形態に係る情報処理装置は、例えば、設定が１つの場合には、１の処理画像を記録媒体に記録させ、また、設定が複数ある場合には、複数の設定それぞれに対応する、複数の処理画像を記録媒体に記録させる。
【００２９】
ここで、本実施形態に係る情報処理装置は、例えば、本実施形態に係る記録制御処理の一環として、設定に基づく処理画像を生成する処理と、入力画像と生成した処理画像とを記録媒体に記録する記録処理とを行うが、本実施形態に係る記録制御処理は、上記に限られない。例えば、本実施形態に係る情報処理装置は、入力画像を記録させるための入力画像記録命令や、設定に対応する処理を行わせるための処理制御命令、生成された処理画像を記録させる処理画像記録命令を、コンテンツ信号を処理することが可能な外部装置（例えば、外部エンコーダ／デコーダや、ＰＣ（Personal  Computer）などのコンピュータなど）へと送信してもよい。本実施形態に係る記録制御処理として、例えば、上記入力画像記録命令や、上記処理制御命令、上記処理画像記録命令を外部装置へ送信することによって、本実施形態に係る情報処理装置は、本実施形態に係る設定に基づく処理画像を生成する処理と、本実施形態に係る記録処理とを、外部装置に行わせることができる。
【００３０】
なお、本実施形態に係る情報処理装置は、例えば、本実施形態に係る設定に基づく処理画像を生成する処理と、本実施形態に係る記録処理とのうちの一部の処理を、外部装置に行わせてもよい。以下では、本実施形態に係る情報処理装置が、設定に基づく処理画像を生成する処理と、入力画像と生成した処理画像とを記録媒体に記録する記録処理とを行う場合を例に挙げて説明する。
【００３１】
ここで、本実施形態に係る設定に基づく処理画像を生成する処理の一例について説明する。図２は、本実施形態に係る設定に基づく処理画像を生成する処理の一例を説明するための説明図である。
【００３２】
図２に示すＡは、コンテンツ信号が示すコンテンツの一例を示している。ここで、図２に示すＡは、２Ｄ画像と３Ｄ画像とが混在するコンテンツの一例を示しており、また、３Ｄ画像部分がサイド・バイ・サイド方式で実現されている例を示している。なお、３Ｄ画像部分を実現する方式は、サイド・バイ・サイド方式に限られず、例えばトップ・アンド・ボトム方式など他の方式であってもよいことは、言うまでもない。また、図２に示すＢは、本実施形態に係る記録処理によって記録される入力画像の一例を示している。また、図２に示すＣは、本実施形態に係る設定に基づく処理画像を生成する処理により生成され、本実施形態に係る記録処理により記録される処理画像の一例を示している。ここで、図２のＣに示す処理画像は、図１に示すＢに対応する設定に基づき生成される処理画像に該当する。図２では、ユーザの左目に対応する画像を“Ｌ”、ユーザの右目に対応する画像を“Ｒ”と示している。
【００３３】
本実施形態に係る情報処理装置は、図２のＣに示すように、例えば、コンテンツ信号が示すコンテンツにおける２Ｄ画像部分は、そのまま２Ｄ画像として記録させる。また、本実施形態に係る情報処理装置は、図２のＣに示すように、例えば、３Ｄ画像部分を構成する画像のうちユーザの左目に対応する画像を抽出し、当該ユーザの左目に対応する画像を水平方向にスケーリングする（処理画像を生成する処理の一例）。そして、本実施形態に係る情報処理装置は、スケーリングした画像を、２Ｄ画像として記録させる。
【００３４】
本実施形態に係る情報処理装置は、例えば図２のＣに示すように、３Ｄ画像部分を構成する画像のうち、ユーザの左目に対応する画像またはユーザの右目に対応する画像を抽出して、スケーリングなどの処理を行うことによって、例えば図１に示すＢに対応する設定に基づく処理画像を生成する。
【００３５】
なお、本実施形態に係る情報処理装置における処理画像を生成する処理は、上記に限られない。例えば、図１に示すＣやＤに対応する各設定に応じて、処理画像のサイズや量子化スケールを変えることによって、本実施形態に係る情報処理装置は、様々なサイズや画質の処理画像を生成することができる。また、本実施形態に係る情報処理装置は、例えば、２Ｄ画像を３Ｄ画像に変換する処理など、設定に応じて任意の画像処理を行うことも可能である。
【００３６】
また、本実施形態に係る情報処理装置は、入力画像と処理画像とを記録させる場合には、画像情報を記録させる。ここで、本実施形態に係る画像情報とは、例えば、コンテンツ信号が示すコンテンツごとに、記録させた入力画像と処理画像とのそれぞれが二次元画像であるかまたは三次元画像であるかを示すデータである。
【００３７】
図３は、本実施形態に係る画像情報の一例を示す説明図である。本実施形態に係る情報処理装置は、例えば、コンテンツ（図３に示す“Ｔｉｔｌｅ”）ごとに、記録させた入力画像、処理画像が２Ｄ画像であるか３Ｄ画像であるかを示す情報（図３に示す“Ａｔｔｒｉｂｕｔｉｏｎ”）を対応付けられたデータを、画像情報として生成し、記録媒体に記録させる。また、本実施形態に係る情報処理装置は、例えば図３に示すように、入力画像、処理画像それぞれの用途を示す情報（または、画像の再生に係るアプリケーションに対応する情報。図３に示す“Ａｐｐｌｉｃａｔｉｏｎ”）を含む画像情報を生成してもよい。また、本実施形態に係る情報処理装置は、例えば図３に示すように、入力画像、処理画像が記録されている記録媒体の記録場所を示す情報（図３に示す“Ｌｏｃａｔｉｏｎ”）を含む画像情報を生成してもよい。
【００３８】
例えば図３に示すような画像情報は、後述する本実施形態に係る情報処理方法に係る、本実施形態に係る再生リスト生成処理において用いられる。なお、本実施形態に係る画像情報は、図３に示す例に限られない。例えば、本実施形態に係る画像情報は、入力画像、処理画像それぞれの用途を示す情報を含んでいなくてもよい。また、本実施形態に係る画像情報は、例えば、入力画像、処理画像それぞれの解像度など、画像に関する情報を含んでいてもよい。
【００３９】
本実施形態に係る情報処理装置は、本実施形態に係る情報処理方法に係る記録制御処理として、例えば上記のような処理を行うことによって、入力画像と処理画像とを記録させる。以下、本実施形態に係る情報処理方法に係る記録制御処理について、より具体的に説明する。
【００４０】
図４は、本実施形態に係る情報処理方法に係る記録制御処理の一例を示す流れ図である。以下では、本実施形態に係る情報処理装置が、図４に示す処理を行うものとして説明する。また、図４では、設定に基づく処理画像を生成する処理と、入力画像と生成した処理画像とを記録媒体に記録する記録処理とを、本実施形態に係る情報処理装置が行う場合を例に挙げて説明する。
【００４１】
本実施形態に係る情報処理装置は、入力画像を記録する（Ｓ１００）。ここで、本実施形態に係る情報処理装置は、例えば、受信したストリーム（コンテンツ信号）を、記憶部（後述する）などの記録媒体に記録することによって、ステップＳ１００の処理を行う。また、ステップＳ１００の処理は、例えば、本実施形態に係る情報処理装置が備えるチューナにより行われる。
【００４２】
本実施形態に係る情報処理装置は、設定に基づく処理画像を記録する（Ｓ１０２）。
【００４３】
図５は、本実施形態に係る情報処理装置における、設定に基づく処理画像を記録する処理の一例を示す流れ図である。ここで、図５に示す処理は、例えば、本実施形態に係る情報処理装置が備えるエンコーダ／デコーダや、ＣＰＵ（Central  Processing  Unit）などの各種処理回路により行われる。
【００４４】
本実施形態に係る情報処理装置は、受信したストリーム（コンテンツ信号）を、画像ストームと、その他の音声ストームなどに分離させる（Ｓ２００）。
【００４５】
ステップＳ２００の処理が行われると、本実施形態に係る情報処理装置は、画像ストリームを復号化する（Ｓ２０２）。
【００４６】
ステップＳ２０２において復号化されると、本実施形態に係る情報処理装置は、設定に基づいて画像処理を行う（Ｓ２０４）。本実施形態に係る情報処理装置は、例えば、１フレーム（動画像がインタレース画像の場合には、１フィールドに対応する。）ごとに、ステップＳ２０４の処理を行うが、ステップＳ２０４の処理タイミングは、上記に限られない。ここで、ステップＳ２０４における設定に基づく画像処理としては、例えば、３Ｄ画像部分を構成する画像のうち、ユーザの左目または右目に対応する画像を抽出し、当該ユーザの左目または右目に対応する画像をスケーリングする処理などが挙げられる。
【００４７】
ステップＳ２０４の処理が行われると、本実施形態に係る情報処理装置は、設定に基づいてステップＳ２０４において処理された画像を示す画像データを符号化する（Ｓ２０６）。ここで、ステップＳ２０４における設定に基づく符号化処理としては、例えば、設定に対応する符号化方式や、量子化スケールで符号化を行う処理が挙げられる。
【００４８】
ステップＳ２０４、Ｓ２０６の処理が行われることによって、処理画像が生成される。
【００４９】
ステップＳ２０６の処理が行われると、本実施形態に係る情報処理装置は、ステップＳ２０６において符号化した画像ストリームと、ステップＳ２００において分離させたその他の音声ストリームなどを多重化する（Ｓ２０８）。ここで、本実施形態に係る情報処理装置は、ステップＳ２０８の処理において、設定に基づいて、トランスポートストリームへの変換や、プログラムストリームへの変換、ＭＰＥＧ−４（ＩＳＯ／ＩＥＣ  １４４９６）などの他の符号化形式への変換などを行ってもよい。
【００５０】
そして、本実施形態に係る情報処理装置は、多重化されたストリーム（処理画像を示す信号）を、記憶部（後述する）などの記録媒体に記録する（Ｓ２１０）。
【００５１】
本実施形態に係る情報処理装置は、例えば図５に示す処理を行うことによって、設定に基づく処理画像を生成して記録する。なお、本実施形態に係る情報処理装置における設定に基づく処理画像を記録する処理が、図５に示す例に限られないことは、言うまでもない。
【００５２】
再度図４を参照して、本実施形態に係る情報処理装置における、本実施形態に係る情報処理方法に係る記録制御処理の一例について説明する。ステップＳ１０２において処理画像が記録されると、本実施形態に係る情報処理装置は、例えば図３に示すような、画像情報を生成する（Ｓ１０４）。
【００５３】
本実施形態に係る情報処理装置は、本実施形態に係る情報処理方法に係る記録制御処理として、例えば図４に示す処理を行う。図４に示す処理を行うことによって、本実施形態に係る情報処理装置は、入力画像と処理画像とを記録媒体に記録することができる。したがって、本実施形態に係る情報処理装置は、例えば図４に示す処理を行うことによって、コンテンツの視聴に関するユーザの利便性の向上を図ることができる。
【００５４】
なお、本実施形態に係る情報処理装置は、本実施形態に係る情報処理方法に係る記録制御処理は、図４に示す処理に限られない。例えば、本実施形態に係る情報処理装置は、図４に示すステップＳ１０４の処理を行わないことも可能である。図４に示すステップＳ１０４の処理を行わない場合であっても、本実施形態に係る情報処理装置は、入力画像と処理画像とを記録媒体に記録することができる。したがって、本実施形態に係る情報処理装置は、図４に示すステップＳ１０４の処理を行わない場合であっても、コンテンツの視聴に関するユーザの利便性の向上を図ることができる。
【００５５】
［２］本実施形態に係る情報処理方法に係る第２の処理：再生リスト生成処理
次に、本実施形態に係る情報処理方法に係る再生リスト生成処理について説明する。本実施形態に係る情報処理装置は、コンテンツに関する情報を示すタイトル情報を取得する（タイトル情報取得処理）。また、本実施形態に係る情報処理装置は、取得されたタイトル情報が示す再生対象のコンテンツに対応する画像情報を取得する（画像情報取得処理）。そして、本実施形態に係る情報処理装置は、取得された画像情報に基づいて、再生対象のコンテンツを示す画像データを再生させるための再生リストを生成する（再生リスト生成処理）。
【００５６】
本実施形態に係る情報処理装置は、本実施形態に係る情報処理方法に係る再生リスト生成処理として、例えば、（１）タイトル情報取得処理、（２）画像情報取得処理、および（３）再生リスト生成処理を行うことによって、本実施形態に係る再生リストを生成する。
【００５７】
（１）タイトル情報取得処理
本実施形態に係る情報処理装置は、例えば、ユーザにより指定された（または選択された）、番組のタイトル名などのような再生対象の画像データを指し示す情報に基づいて、タイトル情報を示すタイトル情報データを取得する。
【００５８】
ここで、本実施形態に係るタイトル情報としては、例えば、番組（コンテンツの一例）のタイトル名や、記録日時、コンテンツのジャンル、登場人物などの番組に関する情報を示すデータが挙げられる。本実施形態に係るタイトル情報は、例えば、ＥＰＧ（Electronic  Program  Guide）などから抽出される番組に関する情報を用いて、生成される。本実施形態に係るタイトル情報データは、例えば、画像データの記録の際に（または、画像データの記録後に）記録される。
【００５９】
より具体的には、本実施形態に係る情報処理装置は、例えば、本実施形態に係る情報処理装置が備える記憶部（後述する）や、サーバなどの外部装置が備える記録媒体、着脱可能な外部記録媒体などから、上記再生対象の画像データを指し示す情報に対応するタイトル情報を示す、タイトル情報データを取得する。なお、本実施形態に係る情報処理装置におけるタイトル情報データの取得方法は、上記に限られない。例えば、本実施形態に係る情報処理装置は、タイトル情報取得処理の一環として、ＥＰＧなどからから抽出される番組に関する情報を用いてタイトル情報を生成することにより、タイトル情報データを取得してもよい。
【００６０】
（２）画像情報取得処理
本実施形態に係る情報処理装置は、上述した本実施形態に係る情報処理方法に係る記録制御処理において記録された画像情報を、記憶部（後述する）や外部記録媒体から読み出す、または、ネットワークを介して（あるいは、直接的に）接続された外部装置から取得することによって、画像情報を取得する。
【００６１】
（３）再生リスト生成処理
本実施形態に係る情報処理装置は、取得された画像情報に基づいて、再生対象のコンテンツを示す画像データを再生させるための再生リストを生成する。例えば図３に示すような画像情報を取得することによって、本実施形態に係る情報処理装置は、例えばユーザの選択操作に基づく、ユーザにより選択された画像データ（ユーザが再生を所望する画像に対応する画像データ）を再生するための再生リストを生成することができる。
【００６２】
本実施形態に係る情報処理装置は、本実施形態に係る情報処理方法に係る再生リスト生成処理として、例えば、（１）の処理（タイトル情報取得処理）、（２）の処理（画像情報取得処理）、および（３）の処理（再生リスト生成処理）を行うことによって、記録された画像データ（入力画像を示す画像データ、および／または、処理画像を示す画像データ）を再生させるための再生リストを生成する。したがって、本実施形態に係る情報処理装置は、（１）の処理（タイトル情報取得処理）〜（３）の処理（再生リスト生成処理）を行うことによって、コンテンツの視聴に関するユーザの利便性の向上を図ることができる。
【００６３】
なお、本実施形態に係る情報処理方法に係る処理は、上記（１）の処理（タイトル情報取得処理）〜上記（３）の処理（再生リスト生成処理）に限られない。例えば、本実施形態に係る情報処理装置は、さらに、上記（３）の処理（再生リスト生成処理）によって生成された再生リストに基づいて、再生対象の画像データを再生させてもよい（再生制御処理）。
【００６４】
ここで、本実施形態に係る情報処理装置における、（４）再生制御処理としては、自装置における再生制御に係る処理と、外部装置における再生制御に係る処理とが挙げられる。より具体的には、本実施形態に係る情報処理装置は、例えば、本実施形態に係る情報処理装置が備えるエンコーダ／デコーダに、再生を制御する再生制御信号を伝達することによって、再生リストに基づく再生対象の画像データの再生を行わせる（自装置における再生制御に係る処理の一例）。また、本実施形態に係る情報処理装置は、例えば、ネットワークを介して（あるいは、直接的に）接続された外部装置に対して、再生を制御する再生制御信号を送信させることによって、当該外部装置に、再生リストに基づく再生対象の画像データの再生を行わせる（外部装置における再生制御に係る処理の一例）。なお、本実施形態に係る情報処理装置における再生制御処理が、上記に限られないことは、言うまでもない。
【００６５】
上記のように、本実施形態に係る再生リストに基づいて、再生対象の画像データの再生処理が行われることによって、本実施形態に係る再生リストにしたがって画像データが再生される。よって、本実施形態に係る情報処理装置がさらに上記（４）の処理（再生制御処理）を行うことによって、ユーザは、コンテンツの提供者側から提供されるコンテンツそのもの（入力画像）と、設定に基づき処理された、当該コンテンツを示す処理画像とのうちの所望の画像を、より容易に楽しむことができる。
【００６６】
したがって、本実施形態に係る情報処理装置が、さらに上記（４）の処理（再生制御処理）を行うことによって、コンテンツの視聴に関するユーザの利便性の向上を図ることができる。
【００６７】
以下、本実施形態に係る情報処理方法に係る再生リスト生成処理について、より具体的に説明する。
【００６８】
図６は、本実施形態に係る情報処理方法に係る再生リスト生成処理の一例を示す流れ図である。以下では、本実施形態に係る情報処理装置が、図６に示す処理を行うものとして説明する。また、図６では、例えば、ステップＳ３００の処理が、上記（１）の処理（タイトル情報取得処理）に該当し、また、ステップＳ３０２、Ｓ３０４の処理が、上記（２）の処理（画像情報取得処理）に該当する。また、図６では、例えば、ステップＳ３０６の処理が、上記（３）の処理（再生リスト生成処理）に該当し、また、ステップＳ３０８の処理が、上記（４）の処理（再生制御処理）に該当する。
【００６９】
本実施形態に係る情報処理方法に係る処理は、タイトル情報データを取得する（Ｓ３００）。ここで、本実施形態に係る情報処理装置は、例えば、本実施形態に係る情報処理装置が備える記憶部（後述する）や、外部装置が備える記録媒体、着脱可能な外部記録媒体などから、ユーザにより指定された再生対象の画像データを指し示す情報に対応するタイトル情報を示す、タイトル情報データを取得する。
【００７０】
なお、本実施形態に係る情報処理装置におけるステップＳ１００の処理は、上記に限られない。例えば、本実施形態に係る情報処理装置は、ユーザにより指定された再生対象の画像データを指し示す情報と、ＥＰＧなどからから抽出される番組に関する情報とを用いてタイトル情報を生成することにより、タイトル情報データを取得してもよい。
【００７１】
ステップＳ３００においてタイトル情報データが取得されると、本実施形態に係る情報処理装置は、タイトル情報データから再生対象のコンテンツの情報を検出する（Ｓ３０２）。ここで、本実施形態に係る情報処理装置が検出する再生対象のコンテンツの情報としては、例えば、ユーザにより指定された再生対象の画像データを指し示す情報に対応する、番組（コンテンツの一例）のタイトル名が挙げられる。なお、本実施形態に係る情報処理装置が検出する再生対象のコンテンツの情報が、上記に限られないことは、言うまでもない。
【００７２】
ステップＳ３０２の処理が行われると、本実施形態に係る情報処理装置は、検出された再生対象のコンテンツの情報に対応する画像情報を含む画像情報データを取得する（Ｓ３０４）。本実施形態に係る情報処理装置は、例えば、本実施形態に係る情報処理装置が備える記憶部（後述する）や、外部装置が備える記録媒体、着脱可能な外部記録媒体などから、検出された再生対象のコンテンツの情報を含む画像情報データを取得する。
【００７３】
ここで、ステップＳ３０４において取得される画像情報データには、例えば図３に示すように、他のコンテンツに対応する画像情報が含まれていてもよい。他のコンテンツに対応する画像情報が含まれている画像情報データを取得した場合であっても、本実施形態に係る情報処理装置は、検出された再生対象のコンテンツの情報に対応する画像情報を特定することが可能である。
【００７４】
ステップＳ３０４の処理が行われると、本実施形態に係る情報処理装置は、取得された画像情報データに基づいて再生対象の画像データを決定し、再生リストを生成する（Ｓ３０６）。
【００７５】
ここで、本実施形態に係る情報処理装置は、例えば、取得された画像情報データの中から、ユーザにより指定された（または選択された）、再生対象となる画像を示す情報に対応する画像データを選択することによって、再生対象の画像データを決定する。本実施形態に係る再生対象となる画像を示す情報としては、例えば、画像の再生に係るアプリケーションに対応する情報（例えば図３に示す“Ａｐｐｌｉｃａｔｉｏｎ”に対応する情報。入力画像、処理画像それぞれの用途を示す情報に相当する。）が挙げられる。例えば再生対象となる画像を示す情報が、画像の再生に係るアプリケーションに対応する情報である場合には、本実施形態に係る情報処理装置は、例えば、図３に示す“Ａｐｐｌｉｃａｔｉｏｎ”を参照することによって、再生対象の画像データを決定する。
【００７６】
なお、本実施形態に係る再生対象となる画像を示す情報は、上記に限られない。例えば、本実施形態に係る再生対象となる画像を示す情報は、２Ｄ画像を再生させるか、３Ｄ画像を再生させるかを示す情報であってもよい。ここで、再生対象となる画像を示す情報が、２Ｄ画像を再生させるか、３Ｄ画像を再生させるかを示す情報である場合には、本実施形態に係る情報処理装置は、例えば、図３に示す“Ａｔｔｒｉｂｕｔｉｏｎ”を参照することによって、再生対象の画像データを決定する。
【００７７】
また、本実施形態に係る再生対象となる画像を示す情報は、例えば、画像の再生に係るアプリケーションに対応する情報と、２Ｄ画像を再生させるか、３Ｄ画像を再生させるかを示す情報との組合せなど、複数の情報の組合せであってもよい。例えば、再生対象となる画像を示す情報が、画像の再生に係るアプリケーションに対応する情報と、２Ｄ画像を再生させるか、３Ｄ画像を再生させるかを示す情報との組合せである場合には、本実施形態に係る情報処理装置は、例えば、図３に示す“Ａｐｐｌｉｃａｔｉｏｎ”および“Ａｔｔｒｉｂｕｔｉｏｎ”を参照することによって、再生対象の画像データを決定する。
【００７８】
再生対象の画像データが決定されると、本実施形態に係る情報処理装置は、決定された画像データを再生させるための再生リストを生成する。ここで、例えば、ユーザにより指定された再生対象となる画像を示す情報が複数存在する場合には、本実施形態に係る情報処理装置は、再生対象となる画像を示す情報それぞれに対応する複数の画像データを決定し、複数の画像データを再生させるための再生リストを生成してもよい。
【００７９】
ステップＳ３０６の処理が行われると、本実施形態に係る情報処理装置は、生成された再生リストにしたがって、再生対象の画像データを再生させる（Ｓ３０８）。ここで、ステップＳ３０８の処理としては、例えば、本実施形態に係る情報処理装置が備えるエンコーダ／デコーダに再生制御信号を伝達する処理や、ネットワークを介して（あるいは、直接的に）接続された外部装置に対して、再生を制御する再生制御信号を送信させる処理などが挙げられる。
【００８０】
本実施形態に係る情報処理装置は、例えば図６に示す処理を行うことによって、本実施形態に係る情報処理方法に係る（１）の処理（タイトル情報取得処理）、（２）の処理（画像情報取得処理）、（３）の処理（再生リスト生成処理）、および（４）の処理（再生制御処理）を実現する。よって、本実施形態に係る情報処理装置は、例えば図６に示す処理を行うことによって、ユーザが選択した画像データ（ユーザが再生を所望する画像に対応する画像データ）を再生するための再生リストを生成することができる。
【００８１】
また、本実施形態に係る情報処理装置は、例えば図６に示す処理を行うことによって、生成した再生リストに基づいて、再生対象の画像データを再生させることが可能である。
【００８２】
したがって、本実施形態に係る情報処理装置は、例えば図６に示す処理を行うことによって、コンテンツの視聴に関するユーザの利便性の向上を図ることができる。
【００８３】
なお、本実施形態に係る情報処理方法に係る再生リスト生成処理は、図６に示す処理に限られない。例えば、本実施形態に係る情報処理装置は、図６に示すステップＳ３０８の処理を行わなくてもよい。図６に示すステップＳ３０８の処理を行わない場合であっても、本実施形態に係る情報処理装置は、本実施形態に係る情報処理方法に係る（１）の処理（タイトル情報取得処理）〜（３）の処理（再生リスト生成処理）を行うことができる。したがって、図６に示すステップＳ３０８の処理を行わない場合であっても、本実施形態に係る情報処理装置が生成する再生リストに基づき画像データが再生されることによって、コンテンツの視聴に関するユーザの利便性の向上を図ることができる。
【００８４】
（本実施形態に係る情報処理装置）
次に、上述した本実施形態に係る情報処理方法に係る処理を行うことが可能な、本実施形態に係る情報処理装置の構成の一例について、説明する。
【００８５】
［１］第１の実施形態に係る情報処理装置
まず、本実施形態に係る情報処理方法に係る記録制御処理を行うことが可能な、第１の実施形態に係る情報処理装置の構成の一例について、説明する。図７は、第１の実施形態に係る情報処理装置１００の構成の一例を示すブロック図である。
【００８６】
情報処理装置１００は、例えば、受信部１０２と、処理部１０４と、記録制御部１０６と、記憶部１０８とを備える。
【００８７】
また、情報処理装置１００は、例えば、制御部（図示せず）や、ＲＯＭ（Read  Only  Memory。図示せず）、ＲＡＭ（Random  Access  Memory。図示せず）、サーバなどの外部装置と通信を行う通信部（図示せず）、ユーザが操作可能な操作部（図示せず）、様々な画面を表示画面に表示する表示部（図示せず）などを備えていてもよい。情報処理装置１００は、例えば、データの伝送路としてのバス（bus）により上記各構成要素間を接続する。
【００８８】
ここで、制御部（図示せず）は、例えば、ＣＰＵや各種処理回路などで構成され、情報処理装置１００全体を制御する役目を果たす。なお、制御部（図示せず）は、例えば、記録制御部１０６や処理部１０４の役目（または、これらの一部の機能を実現する役目）を果たしてもよい。また、第１の実施形態に係る情報処理装置１００では、例えば、処理部１０４、および／または、記録制御部１０６が、制御部（図示せず）の役目を果たしていてもよい。
【００８９】
ＲＯＭ（図示せず）は、例えば、制御部（図示せず）や、記録制御部１０６、処理部１０４が使用するプログラムや演算パラメータなどの制御用データを記憶する。ＲＡＭ（図示せず）は、例えば、制御部（図示せず）や、記録制御部１０６、処理部１０４により実行されるプログラムなどを一時的に記憶する。
【００９０】
通信部（図示せず）は、情報処理装置１００が備える通信手段であり、ネットワークを介して（あるいは、直接的に）、サーバなどの外部装置と無線／有線で通信を行う役目を果たす。ここで、通信部（図示せず）としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ；Wireless  Local  Area  Network）や基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【００９１】
操作部（図示せず）としては、例えば、ボタン、方向キー、ジョグダイヤルなどの回転型セレクター、あるいは、これらの組み合わせなどが挙げられる。なお、情報処理装置１００は、例えば、情報処理装置１００の外部装置としての操作入力デバイス（例えば、キーボードやマウスなど）などの、外部操作デバイスと接続されていてもよい。
【００９２】
表示部（図示せず）としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。なお、表示部（図示せず）は、例えばタッチスクリーンなど、表示とユーザ操作とが可能なデバイスであってもよい。また、情報処理装置１００は、例えば、表示デバイスなどの外部表示デバイスと接続されていてもよい。
【００９３】
〔情報処理装置１００のハードウェア構成例〕
図８は、第１の実施形態に係る情報処理装置１００のハードウェア構成の一例を示す説明図である。情報処理装置１００は、例えば、ＣＰＵ１５０と、ＲＯＭ１５２と、ＲＡＭ１５４と、不揮発性メモリ１５６と、記録媒体１５８と、光ディスクドライブ１６０と、入力インタフェース１６２と、チューナ１６４と、エンコーダ／デコーダ１６６と、暗号処理回路１６８と、外部記録媒体インタフェース１７０と、オーディオインタフェース１７４とを備える。また、情報処理装置１００は、例えば、データの伝送路としてのバス１７６で各構成要素間を接続する。
【００９４】
ＣＰＵ１５０は、例えば、ＣＰＵや、各種処理回路などで構成され情報処理装置１００全体を制御する制御部（図示せず）として機能する。また、ＣＰＵ１５０は、情報処理装置１００において、例えば、処理部１０４や、記録制御部１０６の役目（または、これらの一部の機能を実現する役目）を果たす。
【００９５】
より具体的には、ＣＰＵ１５０は、例えば、受信部１０２の役目を果たすチューナ１６４や、処理部１０４の一部の機能を実現する役目を果たすエンコーダ／デコーダ１６６における処理を制御する（記録制御部１０６の役目を果たす場合）。また、ＣＰＵ１５０は、例えば、エンコーダ／デコーダ１６６によって復号化された画像に対して、設定に基づく処理を行う（処理部１０４の一部の機能を実現する役目を果たす場合）。
【００９６】
ＲＯＭ１５２は、ＣＰＵ１５０が使用するプログラムや演算パラメータなどの制御用データなどを記憶する。また、ＲＯＭ１５２には、例えば、ＯＳ（Operating  System）やＢＩＯＳ（Basic  Input／Output  System）、アプリケーションプログラム、その他の各種データが記憶されていてもよい。ＲＡＭ１５４は、例えば、ＣＰＵ１５０により実行されるプログラムなどを一時的に記憶する。
【００９７】
不揮発性メモリ１５６は、例えば、ＣＰＵ１５０により実行されるプログラムや、暗号化や復号などの処理に用いられるデータが記憶される。不揮発性メモリ１５６としては、例えば、ＥＥＰＲＯＭ（Electronically  Erasable  and  Programmable  Read  Only  Memory）などが挙げられる。
【００９８】
記録媒体１５８は、本実施形態に係る情報処理装置１００における記憶手段であり、例えば、画像データや、タイトル情報データ、画像情報データ、番組のデータ、データ放送用の付加情報データなど、様々なデータが記憶される。記録媒体１５８としては、例えば、ハードディスク（Hard  Disk）などの磁気記録媒体や、フラッシュメモリ（flash  memory）などの不揮発性メモリ（nonvolatile  memory）などが挙げられる。また、記録媒体１５８は、情報処理装置１００から着脱可能であってもよい。記録媒体１５８では、例えば、ＣＰＵ１５０により指定されるコマンドやアドレス情報に基づいて、データの書き込みおよび読み出しの動作が行われる。
【００９９】
光ディスクドライブ１６０は、挿入される光ディスクからのデータの読み出しや、当該光ディスクに対するデータの書き込みを行う。ここで、光ディスクドライブ１６０としては、例えば、ＤＶＤドライブや、ＢＤ（Blu-ray（登録商標）  Disc）ドライブなどが挙げられる。
【０１００】
入力インタフェース１６２は、例えば、操作部（図示せず）の役目を果たす操作入力デバイス（図示せず）や、表示部（図示せず）の役目を果たす表示デバイスなどを接続する。ここで、入力インタフェース１６２としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、入力インタフェース１６２は、リモート・コントローラなどの外部装置から送信される赤外線信号などの信号を受信する受信回路を備えていてもよい。また、入力インタフェース１６２は、例えば、操作入力デバイス（図示せず）から伝達される操作信号や、外部装置から送信された信号を、ＣＰＵ１５０に伝達する。
【０１０１】
チューナ１６４は、例えば受信部１０２の役目を果たす。チューナ１６４には、例えば、外部のアンテナにより受信された放送波に基づく信号が入力される。チューナ１６４は、例えば、ＣＰＵ１５０からの指示に従って所定の搬送周波数の信号を選択し、選択した信号に対してＱＰＳＫ（Quadrature  Phase  Shift  Keying）復調処理および誤り訂正処理などの処理を行う。そして、チューナ１６４は、例えば、上記処理後のトランスポートストリームから画像ストリームと音声ストリームを分離し、ＣＰＵ１５０の指示に従ってエンコーダ／デコーダ１６６や記録媒体１５８などに、分離したストリームを伝達する。また、チューナ１６４は、逆に、画像ストリームおよび音声ストリームからトランスポートストリームへの多重化も可能である。また、チューナ１６４は、例えば、トランスポートストリームからＥＰＧなどのデータ放送用の付加情報や、コピー制御情報、暗号化のための鍵データなどのライセンス情報などを分離し、分離した各種情報をＣＰＵ１５０に伝達する。
【０１０２】
また、チューナ１６４は、ＣＰＵ１５０の制御によって、入力された信号（コンテンツ信号）が示す入力画像を記録媒体１５８に記録する。また、チューナ１６４は、さらに入力された信号（コンテンツ信号）をエンコーダ／デコーダ１６６へ伝達する。なお、チューナ１６４は、例えばＣＰＵ１５０の制御によって、入力された信号（コンテンツ信号）をエンコーダ／デコーダ１６６へ伝達しなくてもよい。
【０１０３】
エンコーダ／デコーダ１６６は、例えば、処理部１０４の役目（処理部１０４の一部の機能を実現する役目）を果たす。エンコーダ／デコーダ１６６は、例えば、チューナ１６４から伝達されるコンテンツ信号を復号化処理する。また、エンコーダ／デコーダ１６６は、例えば、ＣＰＵ１５０において設定に基づき処理された画像に対して、ＭＰＥＧ（Moving  Picture  Experts  Group）方式などの所定の符号化方式にしたがって、ビデオおよびオーディオのデータの圧縮符号化などの処理を行う。また、エンコーダ／デコーダ１６６は、例えば、画像ストリームと、その他の音声ストリームなどとを多重化する処理を行ってもよい。
【０１０４】
暗号処理回路１６８は、例えば、著作権保護されたビデオコンテンツを記録媒体間において移動させる際などに必要となる暗号化処理や復号処理を実行する。例えば、暗号処理回路１６８は、記録媒体１５８や、光ディスクドライブ１６０に挿入された光ディスク、外部記録媒体インタフェース１７０に接続された外部記録媒体などに、上記ビデオコンテンツを示すデータを記録する際に、暗号化処理を行う。また、暗号処理回路１６８は、例えば、記録媒体１５８や、光ディスクドライブ１６０に挿入された光ディスク、外部記録媒体インタフェース１７０に接続された外部記録媒体などからデータを読み出す際に、復号処理を行う。
【０１０５】
外部記録媒体インタフェース１７０には、例えばメモリカードなどの外部記録媒体が接続され、接続された外部記録媒体からのデータの読み出しや、当該外部記録媒体へのデータの書き込みを行う。
【０１０６】
グラフィックインタフェース１７２は、例えば、エンコーダ／デコーダ１６６において復号処理されたビデオデータをアナログ信号に変換し、当該アナログ信号を外部装置に出力する。なお、グラフィックインタフェース１７２は、上記アナログ信号への変換を行わなくてもよい。
【０１０７】
オーディオインタフェース１７４は、例えば、エンコーダ／デコーダ１６６において復号処理されたオーディオデータをアナログ信号に変換して、当該アナログ信号を外部装置に出力する。なお、オーディオインタフェース１７４は、上記アナログ信号への変換を行わなくてもよい。
【０１０８】
情報処理装置１００は、例えば図８に示す構成によって、本実施形態に係る情報処理方法に係る記録制御処理を行う。なお、第１の実施形態に係る情報処理装置１００のハードウェア構成は、図８に示す構成に限られない。
【０１０９】
例えば、第１の実施形態に係る情報処理装置１００は、通信部（図示せず）の役目を果たす通信インタフェースを備えていてもよい。ここで、本実施形態に係る通信インタフェースとしては、例えば、通信アンテナおよびＲＦ回路や、ＬＡＮ端子および送受信回路などが挙げられる。なお、本実施形態に係る通信インタフェースは、上記に限られない。例えば、本実施形態に係る通信インタフェースは、ＵＳＢ端子および送受信回路など通信を行うことが可能な任意の規格に対応する構成や、ネットワークを介して外部装置と通信可能な任意の構成をとることができる。また、通信インタフェースは、受信部１０２の役目を果たしてもよい。
【０１１０】
また、第１の実施形態に係る情報処理装置１００は、例えば、静止画像または動画像を撮像する撮像デバイスを備えていてもよい。撮像デバイスを備える場合には、第１の実施形態に係る情報処理装置１００は、例えば、撮像デバイスにおける撮像により生成されたコンテンツ信号を処理することが可能である。
【０１１１】
ここで、本実施形態に係る撮像デバイスとしては、例えば、レンズ／撮像素子と信号処理回路とから構成される撮像デバイスが挙げられる。レンズ／撮像素子は、例えば、光学系のレンズと、ＣＭＯＳ（Complementary  Metal  Oxide  Semiconductor）などの撮像素子を複数用いたイメージセンサとで構成される。また、信号処理回路は、例えば、ＡＧＣ（Automatic  Gain  Control）回路やＡＤＣを備え、撮像素子により生成されたアナログ信号をデジタル信号（画像データ）に変換し、各種信号処理を行う。信号処理回路が行う信号処理としては、例えば、Ｗｈｉｔｅ  Ｂａｌａｎｃｅ補正処理、色調補正処理、ガンマ補正処理、ＹＣｂＣｒ変換処理、エッジ強調処理などが挙げられる。
【０１１２】
再度図７を参照して、情報処理装置１００の構成の一例について説明する。受信部１０２は、コンテンツ信号を受信する。また、受信部１０２は、記録制御部１０６から伝達される、入力画像を記録させるための入力画像記録命令に基づいて、入力画像を記録する。ここで、本実施形態に係る入力画像記録命令には、例えば、受信部１０２が実行する処理の内容と、入力画像を記録する記録先を示す情報とが含まれるが、本実施形態に係る入力画像記録命令は、上記に限られない。
【０１１３】
受信部１０２は、記録制御部１０６から伝達される入力画像記録命令に基づいて、例えば、入力画像を記憶部１０８に記録し、または、入力画像を記憶部１０８に記録すると共に、コンテンツ信号（または、受信したコンテンツ信号から分離させた画像信号などの各種信号）を処理部１０４へ伝達する。
【０１１４】
ここで、受信部１０２としては、例えば、チューナ１６４や、通信インタフェース（図示せず）が挙げられるが、受信部１０２は、上記に限られない。
【０１１５】
処理部１０４は、受信部１０２から伝達されるコンテンツ信号（または、受信したコンテンツ信号から分離させた画像信号などの各種信号）を処理し、処理画像を生成する。より具体的には、処理部１０４は、記録制御部１０６から伝達される、設定に対応する処理を行わせるための処理制御命令に基づいて、設定に対応する処理を行う。
【０１１６】
ここで、本実施形態に係る処理制御命令には、例えば、設定に対応する処理の内容やパラメータが含まれるが、本実施形態に係る処理制御命令は、上記に限られない。例えば、処理を一意に特定する処理番号と、処理の内容やパラメータとが対応付けられたルックアップテーブルが、記憶部１０８やＲＯＭ（図示せず）などに記憶されている場合には、本実施形態に係る処理制御命令は、当該処理番号を示していてもよい。記録制御部１０６から伝達される処理制御命令が上記処理番号を示す場合には、処理部１０４は、例えば上記ルックアップテーブルを参照して、処理制御命令に基づく設定に対応する処理を行う。
【０１１７】
また、処理部１０４は、記録制御部１０６から伝達される、生成された処理画像を記録させる処理画像記録命令に基づいて、生成された処理画像を記録する。ここで、本実施形態に係る処理画像記録命令には、例えば、処理部１０４が実行する処理の内容と、処理画像を記録する記録先を示す情報とが含まれるが、本実施形態に係る処理画像記録命令は、上記に限られない。
【０１１８】
ここで、処理部１０４としては、例えば、ＣＰＵ１５０とエンコーダ／デコーダ１６６とが挙げられるが、処理部１０４は、上記に限られない。
【０１１９】
記録制御部１０６は、入力画像と処理画像とを記録させる。より具体的には、記録制御部１０６は、例えば、上記入力画像記録命令を受信部１０２へ伝達することによって、入力画像を記録させる。
【０１２０】
また、記録制御部１０６は、例えば、上記処理制御命令を処理部１０４へ伝達することによって、処理部１０４に処理画像を生成させ、上記処理画像記録命令を処理部１０４へ伝達することによって、処理画像を記録させる。ここで、設定が複数ある場合には、記録制御部１０６は、例えば複数の設定それぞれに対応する処理制御命令を処理部１０４へ伝達することによって、複数の設定それぞれに対応する複数の処理画像を記録させてもよい。
【０１２１】
また、記録制御部１０６は、入力画像と処理画像とを記録させる場合には、画像情報を記録してもよい。記録制御部１０６は、例えば、入力画像と処理画像との記録の際に（または、入力画像と処理画像との記録後に）画像情報を生成し、生成した画像情報を記録する。
【０１２２】
ここで、記録制御部１０６としては、例えばＣＰＵ１５０が挙げられるが、記録制御部１０６は、上記に限られない。
【０１２３】
記憶部１０８は、情報処理装置１００が備える記憶手段であり、例えば、画像データや、タイトル情報データ、画像情報データなど、様々なデータが記憶される。また、記憶部１０８としては、例えば、ハードディスクなどの磁気記録媒体や、フラッシュメモリなどの不揮発性メモリなどが挙げられる。
【０１２４】
なお、図７では、受信部１０２が記憶部１０８に入力画像を記録し、処理部１０４が処理画像を記憶部１０８に記録する例を示しているが、第１の実施形態に係る情報処理装置における処理は、上記に限られない。例えば、第１の実施形態に係る情報処理装置は、外部記録媒体に、入力画像と処理画像とを記録させてもよい。また、第１の実施形態に係る情報処理装置は、ネットワークを介して（あるいは、直接的に）接続された外部装置に、入力画像を示す画像データと処理画像を示す画像データとを送信することによって、当該外部装置に入力画像と処理画像とを記録させてもよい。また、第１の実施形態に係る情報処理装置は、例えば、入力画像と、処理画像とを、異なる記録媒体に記録させることも可能である。
【０１２５】
情報処理装置１００は、例えば図７に示す構成によって、本実施形態に係る情報処理方法に係る記録制御処理を行い、入力画像と処理画像とを記録媒体に記録させる。したがって、情報処理装置１００は、例えば図７に示す構成によって、コンテンツの視聴に関するユーザの利便性の向上を図ることができる。
【０１２６】
なお、第１の実施形態に係る情報処理装置の構成は、図７に示す構成に限られない。例えば、図７では、第１の実施形態に係る情報処理装置が、受信部１０２と、処理部１０４とを備えている構成を示しているが、第１の実施形態に係る情報処理装置は、受信部１０２、および／または、処理部１０４を備えていない構成であってもよい。上記の構成であっても、第１の実施形態に係る情報処理装置は、例えば、外部チューナなどの受信部の役目を果たす装置に、上記入力画像記録命令を送信することによって、当該装置に入力画像を記録させることが可能である。また、第１の実施形態に係る情報処理装置は、例えば、外部エンコーダ／デコーダや、ＰＣなどのコンピュータなど、処理部の役目を果たす装置に、上記処理制御命令や上記処理画像記録命令を送信することによって、当該装置に処理画像を記録させることが可能である。
【０１２７】
したがって、第１の実施形態に係る情報処理装置は、例えば、受信部１０２、および／または、処理部１０４を備えていない構成であっても、本実施形態に係る情報処理方法に係る記録制御処理を実現し、コンテンツの視聴に関するユーザの利便性の向上を図ることができる。なお、第１の実施形態に係る情報処理装置が、図７に示す構成であっても、外部装置に対して上記入力画像記録命令や上記処理制御命令、上記処理画像記録命令を送信することによって、当該外部装置における、入力画像および／または処理画像の記録を制御することができることは、言うまでもない。
【０１２８】
また、第１の実施形態に係る情報処理装置は、例えば、ユーザによる設定に基づいて、入力画像を記録させず、処理画像のみを記録させることも可能である。
【０１２９】
［２］第２の実施形態に係る情報処理装置
次に、本実施形態に係る情報処理方法に係る再生リスト生成処理を行うことが可能な、第２の実施形態に係る情報処理装置の構成の一例について、説明する。図９は、第２の実施形態に係る情報処理装置２００の構成の一例を示すブロック図である。
【０１３０】
情報処理装置２００は、例えば、記憶部２０２と、制御部２０４とを備える。
【０１３１】
また、情報処理装置２００は、第１の実施形態に係る情報処理装置と同様に、例えば、ＲＯＭ（図示せず）や、ＲＡＭ（図示せず）、サーバなどの外部装置と通信を行う通信部（図示せず）、ユーザが操作可能な操作部（図示せず）、様々な画面を表示画面に表示する表示部（図示せず）などを備えていてもよい。情報処理装置２００は、例えば、データの伝送路としてのバスにより上記各構成要素間を接続する。
【０１３２】
〔情報処理装置２００のハードウェア構成例〕
情報処理装置２００は、例えば、第１の実施形態に係る情報処理装置と同様に、図８に示すハードウェア構成をとることができる。ここで、例えば、図８に示すＣＰＵ１５０が、制御部２０４の役目を果たし、また、図８に示す記憶媒体１５８が、記憶部２０２の役目を果たす。なお、第２の実施形態に係る情報処理装置の構成が、上記に限られないことは、言うまでもない。
【０１３３】
記憶部２０２は、情報処理装置２００が備える記憶手段であり、例えば、画像データや、タイトル情報データ、画像情報データなど、様々なデータが記憶される。ここで、図９では、コンテンツＡに対応するタイトル情報を示すタイトル情報データＡ２２０、コンテンツＢに対応するタイトル情報を示すタイトル情報データＢ２２２、・・・、コンテンツＡに対応する画像情報を示す画像情報データＡ２２４、コンテンツＢに対応する画像情報を示す画像情報データＢ２２６、・・・が、記憶部２０２に記憶されている例を示している。
【０１３４】
なお、記憶部２０２には、タイトル情報データと画像情報データとが記憶されていなくてもよい。タイトル情報データと画像情報データとが記憶部２０２に記憶されていない場合であっても、情報処理装置２００は、例えば、ネットワークを介して（あるいは、直接的に）接続された外部装置から、タイトル情報データと画像情報データとを取得することが可能である。また、情報処理装置２００は、上述したように、例えば、再生リスト生成処理に係る（１）の処理（タイトル情報取得処理）において、タイトル情報を生成することによってタイトル情報データを取得してもよい。
【０１３５】
また、記憶部２０２としては、例えば、ハードディスクなどの磁気記録媒体や、フラッシュメモリなどの不揮発性メモリなどが挙げられる。
【０１３６】
制御部２０４は、例えばＣＰＵなどで構成され、情報処理装置２００全体を制御する役目を果たす。また、制御部２０４は、例えば、タイトル情報取得部２１０と、画像情報取得部２１２と、再生リスト生成部２１４と、再生制御部２１６とを備え、本実施形態に係る情報処理方法に係る再生リスト生成処理を主導的に行う役目を果たす。
【０１３７】
タイトル情報取得部２１０は、上記（１）の処理（タイトル情報取得処理）を主導的に行う役目を果たし、タイトル情報を示すタイトル情報データを取得する。
【０１３８】
画像情報取得部２１２は、上記（２）の処理（画像情報取得処理）を主導的に行う役目を果たし、タイトル情報取得部２１０において取得されたタイトル情報が示す再生対象のコンテンツに対応する、画像情報を示す画像情報データを取得する。
【０１３９】
再生リスト生成部２１４は、上記（３）の処理（再生リスト生成処理）を主導的に行う役目を果たし、画像情報取得部２１２において取得された画像情報に基づいて再生リストを生成する。
【０１４０】
ここで、再生リスト生成部２１４が生成する再生リストは、例えば、再生対象の画像データを再生する際に一時的に用いられる、一時的な再生リストであってもよい。なお、本実施形態に係る再生リスト生成部２１４が生成する再生リストは、再生する際に一時的に用いられる一時的な再生リストに限られず、例えば、再生リスト生成部２１４は、生成した再生リストを記憶部２０２などに記録してもよい。また、再生リスト生成部２１４は、例えば、サーバなどの外部装置に、生成した再生リストを示すデータを送信してもよい。
【０１４１】
再生制御部２１６は、上記（４）の処理（再生制御処理）を主導的に行う役目を果たし、再生リスト生成部２１４により生成された再生リストに基づいて、再生対象の画像データを再生させる。
【０１４２】
制御部２０４は、例えば、タイトル情報取得部２１０、画像情報取得部２１２、再生リスト生成部２１４、および再生制御部２１６を備えることによって、本実施形態に係る情報処理方法に係る再生リスト生成処理を主導的に行う。
【０１４３】
なお、第２の実施形態に係る制御部の構成は、図９に示す構成に限らない。例えば、第２の実施形態に係る制御部は、再生制御部２１６を備えない構成をとることも可能である。再生制御部２１６を備えない構成であっても、第２の実施形態に係る情報処理装置は、本実施形態に係る再生リスト生成処理に係る、上記（１）の処理（タイトル情報取得処理）、上記（２）の処理（画像情報取得処理）、および上記（３）の処理（再生リスト生成処理）を行うことが可能である。よって、第２の実施形態に係る情報処理装置は、再生制御部２１６を備えない構成であっても、再生リストを生成することができ、コンテンツの視聴に関するユーザの利便性の向上を図ることができる。
【０１４４】
情報処理装置２００は、例えば図９に示す構成によって、本実施形態に係る情報処理方法に係る再生リスト生成処理（例えば、“上記（１）の処理（タイトル情報取得処理）〜上記（３）の処理（再生リスト生成処理）”、または、“上記（１）の処理（タイトル情報取得処理）〜上記（４）の処理（再生制御処理）”）を行う。したがって、情報処理装置２００は、例えば図９に示す構成によって、コンテンツの視聴に関するユーザの利便性の向上を図ることができる。
【０１４５】
なお、第２の実施形態に係る情報処理装置の構成は、図９に示す構成に限られない。例えば、第２の実施形態に係る情報処理装置は、上述したように、例えば、再生制御部２１６を備えない構成をとることも可能である。再生制御部２１６を備えない構成であっても、本実施形態に係る情報処理装置は、本実施形態に係る再生リスト生成処理に係る上記（１）の処理（タイトル情報取得処理）〜上記（３）の処理（再生リスト生成処理）を行い、再生リストを生成することができる。
【０１４６】
また、第２の実施形態に係る情報処理装置は、図９に示すタイトル情報取得部２１０、画像情報取得部２１２、再生リスト生成部２１４、および再生制御部２１６のうちの１または２以上を個別に備える（例えば、個別の処理回路で実現する）ことができる。
【０１４７】
［３］第３の実施形態に係る情報処理装置
本実施形態に係る情報処理方法に係る処理を行うことが可能な情報処理装置の構成は、上述した第１の実施形態に係る情報処理装置（変形例に係る構成も含む）と、上述した第２の実施形態に係る情報処理装置（変形例に係る構成も含む）とに限られない。
【０１４８】
例えば、本実施形態に係る情報処理装置は、上述した第１の実施形態に係る情報処理装置（変形例に係る構成も含む）の機能と、上述した第２の実施形態に係る情報処理装置（変形例に係る構成も含む）の機能とを有していてもよい。つまり、本実施形態に係る情報処理装置は、本実施形態に係る情報処理方法に係る記録制御処理と、本実施形態に係る情報処理方法に係る再生リスト生成処理との双方を行う構成（例えば、図７に示す情報処理装置１００の構成と図９に示す情報処理装置２００を組み合わせた構成）であってもよい。
【０１４９】
以上のように、本実施形態に係る情報処理装置は、本実施形態に係る情報処理方法に係る記録制御処理として、例えば、入力画像と処理画像とを記録させる。本実施形態に係る情報処理装置が入力画像と処理画像とを記録させることによって、ユーザは、コンテンツの提供者側から提供されるコンテンツそのもの（入力画像）と、設定に基づき処理された、当該コンテンツを示す処理画像とを、それぞれ楽しむことが可能となる。
【０１５０】
また、本実施形態に係る情報処理装置が設定に基づく処理画像を記録させることによって、例えば、ユーザは、２Ｄ画像の再生能力しかない装置において、適切な画質でコンテンツを視聴することができる。
【０１５１】
また、本実施形態に係る情報処理装置は、設定に基づいて、例えば、トランスポートストリームや、プログラムストリーム、ＭＰＥＧ−４形式のデータなど、様々な形式で記録媒体に処理画像（例えば、２Ｄ画像など）を記録させることが可能である。したがって、本実施形態に係る情報処理装置は、例えば、ＤＶＤなどの比較的記録容量が少ない記録媒体や、携帯電話など携帯型の機器など、３Ｄ画像の再生に適していない記録媒体や機器へとより高速にダビングすることが可能な、処理画像を記録媒体に記録させることができる。
【０１５２】
したがって、本実施形態に係る情報処理装置は、本実施形態に係る記録制御処理を行うことによって、コンテンツの視聴に関するユーザの利便性の向上を図ることができる。
【０１５３】
また、本実施形態に係る情報処理装置は、本実施形態に係る情報処理方法に係る再生リスト生成処理として、例えば、上記（１）の処理（タイトル情報取得処理）、上記（２）の処理（画像情報取得処理）、および上記（３）の処理（再生リスト生成処理）を行う。ここで、上記（３）の処理（再生リスト生成処理）によって、記録された画像データ（入力画像を示す画像データ、および／または、処理画像を示す画像データ）を再生させるための再生リストが生成される。よって、本実施形態に係る情報処理装置が生成した再生リストにしたがって、画像データを再生する処理を行う装置が、画像データを再生することによって、ユーザは、コンテンツの提供者側から提供されるコンテンツそのもの（入力画像）と、設定に基づき処理された、当該コンテンツを示す処理画像とのうちの所望の画像を、より容易に楽しむことができる。
【０１５４】
したがって、本実施形態に係る情報処理装置は、本実施形態に係る再生リスト生成処理を行うことによって、コンテンツの視聴に関するユーザの利便性の向上を図ることができる。
【０１５５】
また、本実施形態に係る情報処理装置は、本実施形態に係る情報処理方法に係る再生リスト生成処理として、さらに上記（４）の処理（再生制御処理）を行ってもよい。上記のように、本実施形態に係る再生リストに基づいて、再生対象の画像データの再生処理が行われることによって、本実施形態に係る再生リストにしたがって画像データが再生される。よって、本実施形態に係る情報処理装置がさらに上記（４）の処理（再生制御処理）を行うことによって、ユーザは、コンテンツの提供者側から提供されるコンテンツそのもの（入力画像）と、設定に基づき処理された、当該コンテンツを示す処理画像とのうちの所望の画像を、より容易に楽しむことができる。
【０１５６】
したがって、本実施形態に係る情報処理装置が、さらに上記（４）の処理（再生制御処理）を行うことによって、コンテンツの視聴に関するユーザの利便性の向上を図ることができる。
【０１５７】
以上、本実施形態として情報処理装置を挙げて説明したが、本実施形態は、かかる形態に限られない。本実施形態は、例えば、携帯電話やスマートフォンなどの通信装置や、映像／音楽再生装置（または映像／音楽記録再生装置）、ゲーム機、ＰＣやタブレット型端末、サーバなどのコンピュータ、テレビ受像機などの表示装置、デジタルカメラなどの撮像装置など、画像の記録制御に係る処理や、再生リストの生成に係る処理を行うことが可能な様々な機器に適用することができる。また、本実施形態は、例えば、上記のような機器に組み込むことが可能な、処理ＩＣ（Integrated  Circuit）に適用することもできる。
【０１５８】
また、本実施形態に係る情報処理方法に係る処理は、例えばクラウドコンピューティングなどのように、ネットワークへの接続（または各装置間の通信）を前提とした、複数の装置（例えば、サーバなど）からなる情報処理システムにより実現されてもよい。つまり、本実施形態に係る情報処理方法に係る処理は、例えば、上記情報処理システムを構成する装置によって連携して行われてもよい。
【０１５９】
（本実施形態に係るプログラム）
コンピュータを、第１の実施形態に係る情報処理装置として機能させるためのプログラム（例えば、本実施形態に係る情報処理方法に係る記録制御処理を実行することが可能なプログラム）によって、入力画像と処理画像とを記録させることができる。したがって、コンピュータを、第１の実施形態に係る情報処理装置として機能させるための上記プログラムによって、コンテンツの視聴に関するユーザの利便性の向上を図ることができる。
【０１６０】
また、コンピュータを、第２の実施形態に係る情報処理装置として機能させるためのプログラム（例えば、“上記（１）の処理（タイトル情報取得処理）〜上記（３）の処理（再生リスト生成処理）”や、“上記（１）の処理（タイトル情報取得処理）〜上記（４）の処理（再生制御処理）”など、本実施形態に係る情報処理方法に係る再生リスト生成処理を実行することが可能なプログラム）によって、記録された画像データ（入力画像を示す画像データ、および／または、処理画像を示す画像データ）を再生させるための再生リストを生成することができる。したがって、コンピュータを、第２の実施形態に係る情報処理装置として機能させるための上記プログラムによって、コンテンツの視聴に関するユーザの利便性の向上を図ることができる。
【０１６１】
また、コンピュータを、第３の実施形態に係る情報処理装置として機能させるためのプログラム（例えば、本実施形態に係る情報処理方法に係る、記録制御処理および再生リスト生成処理を実行することが可能なプログラム）によって、入力画像と処理画像とを記録させることができる。また、コンピュータを、第３の実施形態に係る情報処理装置として機能させるためのプログラムによって、記録された画像データ（入力画像を示す画像データ、および／または、処理画像を示す画像データ）を再生させるための再生リストを生成することができる。したがって、コンピュータを、第３の実施形態に係る情報処理装置として機能させるための上記プログラムによって、コンテンツの視聴に関するユーザの利便性の向上を図ることができる。
【０１６２】
ここで、上記各プログラムは例えば記録媒体に記録され、記録媒体に記録されたプログラムは、例えば、ＣＰＵなどによって読み出される。そして、ＣＰＵは、読み出したプログラムに記載された命令を実行する。読み出されたプログラムが実行されることによって、コンピュータは、本実施形態に係る情報処理方法に係る処理を実行することができる。
【０１６３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１６４】
例えば、上記では、コンピュータを、本実施形態に係る情報処理装置として機能させるためのプログラム（コンピュータプログラム）がそれぞれ提供されることを示したが、本実施形態は、さらに、上記プログラムのうちの１または２以上を記憶させた記録媒体も併せて提供することができる。
【０１６５】
上述した構成は、本実施形態の一例を示すものであり、当然に、本開示の技術的範囲に属するものである。
【０１６６】
なお、以下のような構成も本開示の技術的範囲に属する。
（１）
画像を含むコンテンツを示すコンテンツ信号が示す入力画像と、前記コンテンツ信号が設定に基づき処理された信号が示す処理画像とを記録させる記録制御部を備える、情報処理装置。
（２）
前記記録制御部は、前記入力画像と前記処理画像とを記録させる場合には、前記コンテンツ信号が示すコンテンツごとに、記録させた前記入力画像と前記処理画像とのそれぞれが二次元画像であるかまたは三次元画像であるかを示す画像情報を記録する、（１）に記載の情報処理装置。
（３）
前記画像情報には、前記入力画像、前記処理画像それぞれの用途を示す情報が含まれる、（２）に記載の情報処理装置。
（４）
前記記録制御部は、設定が複数ある場合には、複数の設定それぞれに対応する、複数の処理画像を記録させる、（１）〜（３）のいずれか１つに記載の情報処理装置。
（５）
前記コンテンツ信号を処理し、前記処理画像を生成する処理部をさらに備え、
前記記録制御部は、設定に対応する処理を行わせるための処理制御命令を、前記処理部に伝達し、
前記処理部は、前記記録制御部から伝達される前記処理制御命令に基づいて、前記設定に対応する処理を行う、（１）〜（４）のいずれか１つに記載の情報処理装置。
（６）
前記記録制御部は、生成された処理画像を記録させる処理画像記録命令を、前記処理部に伝達し、
前記処理部は、前記処理画像記録命令に基づいて、生成された処理画像を記録する、（５）に記載の情報処理装置。
（７）
前記コンテンツ信号を受信する受信部をさらに備え、
前記記録制御部は、前記入力画像を記録させるための入力画像記録命令を、前記受信部に伝達し、
前記受信部は、前記入力画像記録命令に基づいて、前記入力画像を記録する、（１）〜（６）のいずれか１つに記載の情報処理装置。
（８）
コンテンツに関する情報を示すタイトル情報を取得するタイトル情報取得部と、
取得された前記タイトル情報が示す再生対象のコンテンツに対応する前記画像情報を取得する画像情報取得部と、
取得された前記画像情報に基づいて、再生対象のコンテンツを示す画像データを再生させるための再生リストを生成する再生リスト生成部と、
をさらに備える、（２）〜（７）のいずれか１つに記載の情報処理装置。
（９）
生成された再生リストに基づいて、再生対象の画像データを再生させる再生制御部をさらに備える、（８）に記載の情報処理装置。
（１０）
コンテンツに関する情報を示すタイトル情報を取得するタイトル情報取得部と、
取得された前記タイトル情報が示す再生対象のコンテンツに対応する、画像データが二次元画像であるかまたは三次元画像であるかを示す画像情報を取得する画像情報取得部と、
取得された前記画像情報に基づいて、再生対象のコンテンツを示す画像データを再生させるための再生リストを生成する再生リスト生成部と、
を備える、情報処理装置。
（１１）
生成された再生リストに基づいて、再生対象の画像データを再生させる再生制御部をさらに備える、（１０）に記載の情報処理装置。
（１２）
画像を含むコンテンツを示すコンテンツ信号が示す入力画像を記録させるステップと、
前記コンテンツ信号を設定に基づき処理させ、前記設定に基づき処理された信号が示す処理画像を記録させるステップと、
を有する、情報処理方法。
（１３）
コンテンツに関する情報を示すタイトル情報を取得するステップと、
取得された前記タイトル情報が示す再生対象のコンテンツに対応する、画像データが二次元画像であるかまたは三次元画像であるかを示す画像情報を取得するステップと、
取得された前記画像情報に基づいて、再生対象のコンテンツを示す画像データを再生させるための再生リストを生成するステップと、
を有する、情報処理装置。
【符号の説明】
【０１６７】
１００、２００    情報処理装置
１０２    受信部
１０４    処理部
１０６    記録制御部
１０８、２０２    記憶部
２０４    制御部
２１０    タイトル情報取得部
２１２    画像情報取得部
２１４    再生リスト生成部
２１６    再生制御部
【図１】
2013150039.tif 000003
【図２】
2013150039.tif 000004
【図３】
2013150039.tif 000005
【図４】
2013150039.tif 000006
【図５】
2013150039.tif 000007
【図６】
2013150039.tif 000008
【図７】
2013150039.tif 000009
【図８】
2013150039.tif 000010
【図９】
2013150039.tif 000011